(57)【要約】【課題】壁等によって多面的に囲まれている場合でも、装置内部のメンテナンスを行うことができる記録装置を提供する。【解決手段】記録装置１１は、上側開口部２０が設けられた上壁部１２ｔを有する筐体部１２と、上側開口部２０を覆う閉位置に配置可能な上側開閉体２１と、筐体部１２内で媒体Ｓに対して記録を行う記録部３１と、を備え、閉位置に配置された上側開閉体２１は、閉位置からスライド移動することで、上側開口部２０を露出させる。【選択図】図４
2020040412.tif 000002
【特許請求の範囲】
【請求項１】
媒体を支持する媒体支持部と、
前記媒体の幅方向に移動可能に設けられ、前記媒体支持部に支持される前記媒体に対して液体を噴射して記録を行う液体噴射ヘッドと、
前記媒体支持部および前記液体噴射ヘッドの上方に開口する開口部を有する上壁部と、
前記開口部を覆う閉状態と該開口部を介して前記媒体支持部にアクセス可能な開放状態とを取り得る開閉体と、
前記液体噴射ヘッドにより記録された前記媒体が排出される排出部が開口する前壁部と、
前記液体を収容する複数の液体収容体を前記前壁部側から着脱可能に、前記液体噴射ヘッドの移動領域の下方であって前記幅方向における該移動領域の一端側に設けられる第１液体収容体装着部と、
廃液となった前記液体を収集する廃液収集体を前記前壁部側から着脱可能に、前記液体噴射ヘッドの移動領域の下方であって前記幅方向における該移動領域の一端側で、かつ前記第１液体収容体装着部の上方となる位置に設けられる廃液収集体装着部と、
前記液体を収容する複数の液体収容体を前記前壁部側から着脱可能に、前記液体噴射ヘッドの移動領域の下方であって前記幅方向において該移動領域の他端側に設けられる第２液体収容体装着部と、
前記幅方向において、前記第１液体収容体装着部および前記廃液収集体装着部と前記第２液体収容体装着部との間となる位置に設けられ、前記媒体支持部に供給される前記媒体を前記前壁部側からアクセス可能に保持する媒体保持部と、
前記液体噴射ヘッドから吸引した前記液体を前記廃液として前記廃液収集体に導入可能に設けられる吸引機構と、を備え、
前記廃液収集体装着部に装着された前記廃液収集体は、前記吸引機構の最上部より下方に位置することを特徴とする記録装置。
【請求項２】
前記液体噴射ヘッドにより記録された前記媒体を前記排出部から排出される前に加熱可能な加熱装置を備え、
前記廃液収集体装着部に装着された前記廃液収集体は、前記加熱装置の下方であって、前記第１液体収容体装着部に装着された前記液体収容体の鉛直上方に位置することを特徴とする請求項１に記載の記録装置。
【請求項３】
前記媒体保持部は前記媒体を円筒状に巻き重ねたロール体として保持し、
前記廃液収集体装着部に装着された前記廃液収集体は、前記ロール体の回転軸中心より上方に位置することを特徴とする請求項１または請求項２に記載の記録装置。
【請求項４】
前記第１液体収容体装着部および前記廃液収集体装着部の前記前壁部側を覆う閉位置と前記液体収容体および前記廃液収集体を着脱可能な開位置とを取り得る第１開閉部と、
前記第２液体収容体装着部の前記前壁部側を覆う閉位置と前記液体収容体を着脱可能な開位置とを取り得る第２開閉部と、
前記排出部の開口位置より下方であって、前記媒体支持部に保持される前記媒体の前記前壁部側を覆う位置に着脱可能に設けられ、記録された前記媒体から切断される裁断片を収容する収容部と、を備えることを特徴とする請求項１から請求項３のいずれか一項に記載の記録装置。
【請求項５】
前記幅方向において、前記収容部は、前記閉位置にある前記第１開閉部と前記第２開閉部との間に位置することを特徴とする請求項４に記載の記録装置。
【請求項６】
前記吸引機構は、前記開口部の鉛直下方となる領域外となる位置に設けられていることを特徴とする請求項１から請求項５のいずれか一項に記載の記録装置。
【請求項７】
前記吸引機構は、前記幅方向における前記一端側に設けられ、前記廃液収集体装着部に装着された前記廃液収集体と廃液流路で接続されることを特徴とする請求項１から請求項６のいずれか一項に記載の記録装置。
【請求項８】
前記液体噴射ヘッドを保持して前記媒体の前記幅方向に移動するキャリッジと、
前記キャリッジの上部に着脱可能に設けられた蓋部と、を備え、
前記開口部は、前記蓋部にアクセス可能に該蓋部の上方に開口していることを特徴とする請求項１から請求項７のいずれか一項に記載の記録装置。
【発明の詳細な説明】
【技術分野】
【０００１】
本発明は、プリンターなどの記録装置に関する。
【背景技術】
【０００２】
記録装置の一例として、長尺の用紙が円筒状に巻かれたロール紙に対して、インクカートリッジに収容されたインクを噴射することで印刷を行うインクジェット式のプリンターがある。こうしたプリンターには、外装ケースに取り付けられた回動式の開閉蓋を開いた状態にして、ロール紙の装填やインクカートリッジの交換などを行うものがある（例えば、特許文献１）。
【先行技術文献】
【特許文献】
【０００３】
【特許文献１】特開２００７−１５２８１１号公報
【発明の概要】
【発明が解決しようとする課題】
【０００４】
ところで、上述のようなプリンターにおいては、ロール紙の装填やインクカートリッジの交換といった消耗品の補充に加えて、装置内部のメンテナンス作業が必要になることがある。そして、このような装置内部のメンテナンス作業を行うためには、外装ケースに上述のような開閉蓋を付け加えて、装置の内部にアクセスする必要がある。
【０００５】
しかし、プリンターを部屋の角に配置した場合や、棚に載置した場合などには、プリンターが壁等によって多面的に囲まれることになり、プリンターの側方や後方に、開閉蓋を開閉させたり、装置内部のメンテナンスを行ったりするためのスペースがとれないことがある。
【０００６】
なお、こうした課題は、ロール紙に対して印刷を行うインクジェット式のプリンターに限らず、記録装置が壁等によって多面的に囲まれる場所に設置される場合には、共通して生じうる。
【０００７】
本発明は、こうした実情に鑑みてなされたものであり、その目的は、壁等によって多面的に囲まれている場合でも、装置内部のメンテナンスを行うことができる記録装置を提供することにある。
【課題を解決するための手段】
【０００８】
以下、上記課題を解決するための手段及びその作用効果について記載する。
上記課題を解決する記録装置は、媒体を支持する媒体支持部と、前記媒体の幅方向に移動可能に設けられ、前記媒体支持部に支持される前記媒体に対して液体を噴射して記録を行う液体噴射ヘッドと、前記媒体支持部および前記液体噴射ヘッドの上方に開口する開口部を有する上壁部と、前記開口部を覆う閉状態と該開口部を介して前記媒体支持部にアクセス可能な開放状態とを取り得る開閉体と、前記液体噴射ヘッドにより記録された前記媒体が排出される排出部が開口する前壁部と、前記液体を収容する複数の液体収容体を前記前壁部側から着脱可能に、前記液体噴射ヘッドの移動領域の下方であって前記幅方向における該移動領域の一端側に設けられる第１液体収容体装着部と、廃液となった前記液体を収集する廃液収集体を前記前壁部側から着脱可能に、前記液体噴射ヘッドの移動領域の下方であって前記幅方向における該移動領域の一端側で、かつ前記第１液体収容体装着部の上方となる位置に設けられる廃液収集体装着部と、前記液体を収容する複数の液体収容体を前記前壁部側から着脱可能に、前記液体噴射ヘッドの移動領域の下方であって前記幅方向において該移動領域の他端側に設けられる第２液体収容体装着部と、前記幅方向において、前記第１液体収容体装着部および前記廃液収集体装着部と前記第２液体収容体装着部との間となる位置に設けられ、前記媒体支持部に供給される前記媒体を前記前壁部側からアクセス可能に保持する媒体保持部と、前記液体噴射ヘッドから吸引した前記液体を前記廃液として前記廃液収集体に導入可能に設けられる吸引機構と、を備え、前記廃液収集体装着部に装着された前記廃液収集体は、前記吸引機構の最上部より下方に位置する。
【０００９】
上記構成によれば、上壁部に開口する開口部を介して装置内部のメンテナンスを行うことができる。また、前壁部側から廃液収集体と液体収容体の着脱を行うことができる。
【００１０】
上記記録装置において、前記記録部は前記媒体に対して液体を噴射する液体噴射ヘッドを有し、前記液体噴射ヘッドは、前記開口部を通じて着脱可能である。
この構成によれば、開閉体をスライド移動させることによって、露出した開口部を通じて液体噴射ヘッドの着脱を行うことができる。したがって、装置の壁部に設けられた開口部を通じて記録部のメンテナンスを行うことができる。
【００１１】
上記記録装置は、前記筐体部内の排気を行う排気機構を備え、前記排気機構は、前記開口部を通じて着脱可能なダクトを有する。
この構成によれば、開閉体をスライド移動させることによって、露出した開口部を通じてダクトの着脱を行うことができる。したがって、壁部に設けられた開口部を通じてダクトのメンテナンスを行うことができる。
【００１２】
上記記録装置は、前記媒体を搬送経路に沿って搬送する搬送機構を備え、前記ダクトは前記搬送経路の前記開口部側に配置されている。
この構成によれば、開口部を通じてダクトを取り外すことによって、媒体の搬送経路を露出させることができる。したがって、媒体が搬送経路で詰まった場合には、ダクトを取り外して詰まった媒体を除去するなど、開口部を通じて搬送経路のメンテナンスを行うことができる。
【００１３】
上記記録装置において、前記開閉体は、前記閉位置に配置された場合に、前記壁部の一部を構成する。
この構成によれば、開閉体は閉位置に配置された場合に壁部の一部を構成するので、開閉体を収容するための空間を筐体部内に確保するために装置の内部構成を大きく変更することなく、壁部の一部が開口する構成を実現することができる。
【００１４】
上記記録装置は、前記媒体を裁断することによって裁断片を発生させる裁断機構と、前記裁断片を収容する収容容器と、を備え、前記筐体部は、前記壁部と交差する側壁部を有し、前記開閉体は、前記閉位置から前記側壁部側にスライド移動することで前記開口部を露出させ、前記開口部を第１の開口部とする場合に、前記側壁部には第２の開口部が設けられ、前記収容容器は、前記筐体部の前記第２の開口部を覆う位置に着脱可能に装着される。
【００１５】
この構成によれば、開閉体をスライド移動させるための領域を筐体部の側壁部に面する位置に確保しておけば、この領域を作業領域として、側壁部に設けられた第２の開口部を通じて筐体部内のメンテナンスを行うことができる。すなわち、記録装置が多面的に壁等で囲まれた閉鎖的な狭い空間に配置された場合であっても、筐体部の一つの側壁部が面する位置に作業領域が確保されていれば、この作業領域を通じて記録装置のメンテナンスを行うことができる。そして、収容容器は、筐体部の第２の開口部を覆う位置に着脱可能であるので、収容容器内に裁断片が溜まった場合には、装置から収容容器を取り外して、溜まった裁断片を除去するメンテナンスを行うことができる。
【００１６】
上記記録装置は、前記媒体を円筒状に巻き重ねたロール体を保持する媒体保持部を備え、前記媒体保持部は、前記収容容器を前記筐体部から取り外すことによって、前記第２の開口部を通じて前記筐体部から引き出し可能な状態になる。
【００１７】
この構成によれば、収容容器を筐体部から取り外すことによって、第２の開口部を通じて媒体保持部を筐体部から引き出すことができる。そして、媒体保持部を筐体部から引き出すことによって、筐体部の外でロール体の装填や交換などのメンテナンスを行うことができるので、作業性がよい。
【００１８】
上記記録装置において、前記媒体保持部は、前記媒体を前記記録部に向けて給送するための給送経路を形成する給送経路形成部材と、前記給送経路に沿って前記媒体を給送する給送ローラー対と、前記筐体部に収容された場合に前記側壁部の一部を構成する板部と、前記媒体の挿入口を前記板部との間に形成する挿入口形成部と、を有し、前記板部には、前記筐体部に取り付けられた前記収容容器を支持する支持部と、前記媒体保持部を前記筐体部から引き出すときに手を掛けることのできる手掛け部と、前記媒体が前記給送ローラー対によって給送可能な位置に配置されたことを報知する報知部と、が設けられている。
【００１９】
この構成によれば、媒体保持部を筐体部から引き出すことによって、媒体保持部に設けられた給送経路のメンテナンスを筐体部の外で行うことができる。これにより、筐体部内に収容される媒体保持部のメンテナンスを容易に行うことができる。また、媒体保持部の板部には収容容器を支持する支持部が設けられているので、筐体部の一側面側に、板部と収容容器とを重ねた状態で配置することができる。そして、媒体保持部の板部には手掛け部が設けられているので、収容容器を取り外したときに、板部に手を掛けて、媒体保持部を筐体部から引き出すことができる。また、挿入口形成部は板部との間に媒体の挿入口を形成するので、装置の一側面側から媒体を挿入口に挿入する作業を行うことができる。さらに、媒体保持部の板部には報知部が設けられているので、報知部を視認しつつ、挿入口に媒体を挿入する作業を行うことができる。
【００２０】
上記記録装置において、前記記録部に対して記録材を供給する供給機構と、前記記録材を収容した収容体を着脱可能に装着する一対の収容体装着部と、前記記録部から排出された記録材を回収するための回収体を着脱可能に装着する回収体装着部と、を備え、前記側壁部には、第１開閉部及び第２開閉部が開閉可能に取り付けられ、前記筐体部において前記第１開閉部の奥側には一方の前記収容体装着部及び前記回収体装着部が配置されており、前記筐体部において前記第２開閉部の奥側には他方の前記収容体装着部及び前記供給機構が配置されている。
【００２１】
この構成によれば、一方の収容体装着部及び回収体装着部は筐体部において第１開閉部の奥側に配置されているので、装置の一側面側から第１開閉部を開くことによって、収容体の着脱及び回収体の着脱を行うことができる。また、他方の収容体装着部及び供給機構は筐体部において第２開閉部の奥側に配置されているので、装置の一側面側から第２開閉部を開くことによって、収容体の着脱を行うことができるとともに、供給機構のメンテナンスを行うことができる。
【図面の簡単な説明】
【００２２】
【図１】一実施形態の記録装置の斜視図。
【図２】上側開口部が露出した記録装置の上面図。
【図３】排気装置の斜視図。
【図４】上側開口部が露出した記録装置の斜視図。
【図５】開閉部が開位置に配置された記録装置の斜視図。
【図６】記録装置の断面図。
【図７】前側開口部が露出した記録装置の斜視図。
【図８】記録装置が備える給送機構の構成を示す断面図。
【図９】媒体保持部が引き出された記録装置の断面図。
【図１０】媒体保持部の構成を示す斜視図。
【発明を実施するための形態】
【００２３】
以下、記録装置の実施形態について、図を参照して説明する。記録装置は、例えば、媒体に記録材の一例であるインクを噴射することによって記録（印刷）を行うプリンターである。
【００２４】
図１に示すように、本実施形態の記録装置１１は、上壁部（壁部）１２ｔ及び上壁部１２ｔと交差する複数の側壁部１２ｆ，１２ｇ，１２ｈを有する筐体部１２を備えている。本実施形態において、側壁部のうちの１つを前壁部１２ｆとする。そして、前壁部１２ｆには排出口１４が形成されている。
【００２５】
筐体部１２の上壁部１２ｔには上側開口部（第１の開口部）２０が形成されている。上壁部１２ｔには、上側開口部２０を覆う閉位置（図１に示す位置）に配置可能な上側開閉体（開閉体）２１が着脱可能に装着される。上側開閉体２１は、閉位置に配置された場合に上壁部１２ｔの一部を構成する天板であるのが好ましい。上側開閉体２１には、引手部２２が凹設されている。
【００２６】
図２に示すように、引手部２２に手を掛けるなどして、上側開口部２０を覆う閉位置にある上側開閉体２１を前壁部１２ｆ側となる前方にスライド移動させると、上側開口部２０が露出する。このとき、筐体部１２内で媒体Ｓに記録を行う記録部３１と、筐体部１２に収容された排気機構５０を構成するダクト５１の一部が露出する構成にするのが好ましい。なお、筐体部１２の側壁部１２ｈ，１２ｇには、排気機構５０が排気する気体を筐体部１２の外に排出するための排気孔１５が形成されている。
【００２７】
記録部３１は、媒体Ｓに対してインクを噴射する液体噴射ヘッド３２と、液体噴射ヘッド３２を保持して媒体Ｓの幅方向（図２では左右方向）に往復移動するキャリッジ３３と、液体噴射ヘッド３２にインクを供給するための供給チューブ３４とを備えている。キャリッジ３３の上部には、着脱可能な蓋部３３ａが取り付けられている。
【００２８】
キャリッジ３３の移動領域の下方には、媒体Ｓを支持する支持部材３５が配置されている。支持部材３５は媒体Ｓの搬送経路を形成するので、キャリッジ３３は媒体Ｓの搬送経路上を幅方向に往復移動することになる。そのため、上側開閉体２１を前方にスライド移動させると、キャリッジ３３とともに媒体Ｓの搬送経路も露出する。
【００２９】
液体噴射ヘッド３２は、キャリッジ３３に着脱可能に装着される構成にするのが好ましい。すると、上側開閉体２１を前方にスライド移動させて記録部３１を露出させた後、キャリッジ３３の蓋部３３ａを取り外すと、液体噴射ヘッド３２は上側開口部２０を通じて着脱可能な状態になる。これにより、上側開口部２０を通じて取り外した液体噴射ヘッド３２を清掃したり、新しい液体噴射ヘッド３２に交換したりするメンテナンスを行うことが可能になる。
【００３０】
なお、記録装置１１より上方に壁等の障害物がある場合でも、その壁と上壁部１２ｔとの間に作業者の手を差し入れる空間が確保されていれば、この空間を通じて液体噴射ヘッド３２の交換等のメンテナンスを行うことが可能である。すなわち、筐体部１２の前方以外が壁等で囲まれた閉鎖的な狭い空間に記録装置１１が配置された場合であっても、筐体部１２の前方に作業領域が確保されていれば、その作業領域を通じて、筐体部１２内のメンテナンスを行うことが可能である。
【００３１】
図３に示すように、ダクト５１は、幅方向の中央に配置される吸引部５６と、吸引部５６の長手方向における両端側に着脱可能に取り付けられる排出部５７と、吸引部５６の上部に取り付けられる蓋部材５８とを有している。蓋部材５８の上面側には、一対の把持突部５８ａが突設されている。また、ダクト５１の幅方向における両端部には、ファン５２が収容されている。
【００３２】
図４に示すように、ダクト５１を構成する吸引部５６は、上側開口部２０を通じて着脱可能な構成になっているのが好ましい。すると、上側開閉体２１を前方にスライド移動させて上側開口部２０を露出させた後、把持突部５８ａを把持して蓋部材５８を取り外すと、ダクト５１の清掃等のメンテナンスを行うことが可能になる。
【００３３】
さらに、吸引部５６は媒体Ｓの搬送経路の上方に配置されるのが好ましい。すると、上側開口部２０を通じてダクト５１を構成する吸引部５６を取り外すと、搬送経路が露出する。これにより、媒体Ｓが搬送経路において詰まった場合などには、吸引部５６を取り外して詰まった媒体Ｓを除去することが可能になる。
【００３４】
図５に示すように、前壁部１２ｆには、筐体部１２の前後方向及び鉛直方向の双方と交差する幅方向における第１端側に第１開閉部２６Ｒが開閉可能に取り付けられる一方で、幅方向における第２端側には第２開閉部２６Ｌが開閉可能に取り付けられるのが好ましい。２つの開閉部２６は、下端側に設けられた回動軸２６ａを中心に回動することで、図１に示す閉位置から図５に示す開位置に配置される。第１開閉部２６Ｒ及び第２開閉部２６Ｌはそれぞれ独立して開閉可能であり、必要に応じて第１開閉部２６Ｒだけを開閉したり、第２開閉部２６Ｌだけを開閉したりすることができる。
【００３５】
記録装置１１は、記録材であるインクを供給する供給機構４２と、記録材を収容した収容体３０を着脱可能に装着する一対の収容体装着部２７と、不要な記録材である廃液を回収するための回収体２９を着脱可能に装着する回収体装着部２８とを備えている。そして、筐体部１２において第１開閉部２６Ｒの奥側には一方の収容体装着部２７及び回収体装着部２８を配置する一方で、筐体部１２において第２開閉部２６Ｌの奥側には他方の収容体装着部２７及び供給機構４２を配置するのが好ましい。
【００３６】
すると、第１開閉部２６Ｒを開位置に配置すると、筐体部１２内に配置された収容体装着部２７が露出して収容体３０が着脱可能な状態になると同時に、回収体装着部２８が露出して回収体２９が着脱可能な状態になる。また、第２開閉部２６Ｌを開位置に配置すると、筐体部１２内に配置された収容体装着部２７が露出して収容体３０が着脱可能な状態になる。
【００３７】
これにより、開閉部２６を前方に開くことによって、収容体３０及び収容体３０の交換を行うことが可能になる。なお、供給機構４２の前方にはカバー４５を取り付けておき、このカバー４５を外すと供給機構４２が露出して、メンテナンスを行うことができる状態になるのが好ましい。
【００３８】
図６に示すように、収容体装着部２７に装着された収容体３０は、幅方向と交差する前後方向（図６における左右方向）が長手方向となる。これに対して、キャリッジ３３の移動領域及び排気機構５０は、幅方向（図２における左右方向であって、図６においては紙面と直交する方向）が長手方向となるように筐体部１２内に配置されている。そして、収容体３０は、筐体部１２内で、キャリッジ３３の移動領域及び排気機構５０と鉛直方向において異なる位置であって、キャリッジ３３の移動領域及び排気機構５０の鉛直方向下方となる位置に収容される。そのため、仮に、収容体３０に収容されたインクが漏れ出すことがあったとしても、収容体装着部２７より上方に位置するキャリッジ３３及び排気機構５０に与える影響は少ない。
【００３９】
本実施形態の収容体装着部２７には、収容体３０が３つずつ装着可能になっている。すなわち、合計６つの収容体３０は、幅方向において筐体部１２の両端側に３つずつ振り分けられる態様で、筐体部１２内に収容される。
【００４０】
なお、収容体装着部２７に装着する収容体３０の数は任意に変更できる。例えば、収容体装着部２７に装着可能な収容体３０の数は、６つより多くてもよいし、６つより少なくてもよい。また、筐体部１２の幅方向における一端端のみに収容体装着部２７を設けて、複数の収容体３０を筐体部１２の両端側に振り分けることなく、一つの収容体装着部２７にまとめて収容するようにしてもよい。ただし、筐体部１２の幅方向における両端側に収容体装着部２７を設け、これら２つの収容体装着部２７に複数の収容体３０を振り分けて収容した方が、記録装置１１内の空間を効率良く使用でき、重量バランスもよいので、好ましい。
【００４１】
また、複数の収容体３０には、それぞれ異なる種類の記録材（例えば、インク）を収容（充填）してもよいし、同じ種類の記録材を複数の収容体３０に収容してもよい。そして、同じ種類の記録材を収容した複数の収容体３０を収容体装着部２７に装着した場合には、記録材を供給していた一の収容体３０の残量が少なくなったり無くなったりしたときに、記録材を供給する収容体３０を、同じ種類の記録材が収容されている他の収容体３０に切り替えて、記録材の供給を継続することも可能である。これにより、記録装置１１に同じ種類の記録材を収容した収容体３０を複数装着している場合には、記録装置１１が記録動作を行っているときに、同記録動作を中断することなく、使用していない収容体３０を交換することが可能になる。
【００４２】
さらに、収容体装着部２７に対して、同収容体装着部２７に装着可能な収容体３０の最大数よりも少ない数の収容体３０が装着された状態、すなわち、収容体装着部２７に空きがある状態であっても、記録装置１１が使用できる構成にしてもよい。この場合には、必要に応じて使用する記録材の種類を増減させることができるように、収容体装着部２７を空けておくことが可能になる。
【００４３】
加えて、収容体３０にＩＣチップ等の記憶素子を装着するとともに、収容体装着部２７にこの記憶素子に接触可能な端子を配置して、記録装置１１において使用した記録材の量に基づいて算出した記録材の残量を同記憶素子に記憶させるようにしてもよい。また、収容体３０に記憶素子を装着する場合には、収容体３０に収容された記録材の種類や収容量等の情報を記憶素子に記憶させておいてもよい。このようにすれば、記憶素子に記憶された情報に基づいて、収容体装着部２７に適切な収容体３０が収容されたか否かを記録装置１１が判定することが可能になる。
【００４４】
幅方向（図６では紙面と直交する方向）において、キャリッジ３３の移動領域の端部には、液体噴射ヘッド３２からインクを吸引可能な吸引機構３６が配置されている。吸引機構３６には、液体噴射ヘッド３２から吸引したインクを廃液として回収体２９に導入する廃液チューブ３７が接続されている。そして、例えば記録の開始前や記録の終了後などに吸引機構３６が液体噴射ヘッド３２からインクを吸引すると、吸引されたインク（廃液）は廃液チューブ３７を通じて回収体２９に導入される。
【００４５】
筐体部１２内には、前後方向及び幅方向に延びるように区画壁４６が配置されている。そして、記録部３１は、筐体部１２内において、区画壁４６よりも上方に配置されている。
【００４６】
供給チューブ３４の上流側部分である供給チューブ３４ａは、区画壁４６よりも下方に配置された収容体装着部２７から上方に引き回されて供給機構４２に接続されている。また、供給チューブ３４の下流側部分である供給チューブ３４ｂは、供給機構４２から上方に引き回された後に、キャリッジ３３の前方に固定されたフレーム部材３８に沿って幅方向に引き回されて、キャリッジ３３に収容された液体噴射ヘッド３２に接続されている。なお、フレーム部材３８に沿って幅方向に引き回される供給チューブ３４ｂの前方には、供給チューブ３４ｂを保護するための保護フレーム３９が固定されている。
【００４７】
供給機構４２は、例えば、収容体３０に収容されたインクを液体噴射ヘッド３２に向けて送出するためのポンプである。そして、供給機構４２が駆動することによって、収容体３０に収容されたインクが、収容体装着部２７、供給チューブ３４ａ及び供給チューブ３４ｂを介して、液体噴射ヘッド３２に供給される。
【００４８】
記録装置１１は、媒体Ｓを排出口１４に向けて搬送経路に沿って搬送する搬送機構４１を備えている。搬送機構４１は、図示しない駆動源の駆動力によって回転する複数の搬送ローラーを有している。そして、搬送機構４１によって媒体Ｓが記録部３１に搬送されると、媒体Ｓに対して液体噴射ヘッド３２からインクが噴射されることによって、媒体Ｓに記録（印刷）が行われる。
【００４９】
媒体Ｓの搬送方向において記録部３１の下流側には、媒体Ｓに付着したインクを乾燥させるために媒体Ｓを加熱する加熱装置４８が配置されている。加熱装置４８の上方であって、保護フレーム３９の前方となる位置には、排気機構５０が配置されている。排気機構５０は、筐体部１２内において蒸発したインクの溶媒成分や加熱された気体などを筐体部１２の外に排出するために、加熱装置４８が配置された搬送経路の排気を行う。
【００５０】
媒体Ｓの搬送経路において加熱装置４８と排出口１４との間には、媒体Ｓを裁断する裁断機構４９が設けられている。媒体Ｓは、記録が施された部分が単位長さ毎に裁断機構４９によって切断されることで、単票ＣＰとなる。また、記録が完了した単票ＣＰは排出口１４を通じて筐体部１２外に排出される。
【００５１】
裁断機構４９は、先に媒体Ｓから切断された単票ＣＰの後端と、次に媒体Ｓから切断される単票ＣＰの前端との間を余白部分として切り落とすことによって裁断片を発生させる。すると、裁断機構４９によって切り落とされた裁断片は、裁断機構４９の下方に装着された収容容器１９に収容される。なお、区画壁４６には、収容容器１９が筐体部１２に装着されたか否かを検出するための容器検出部４７を取り付けておくとよい。
【００５２】
図７に示すように、筐体部１２の側壁部である前壁部１２ｆには、前側開口部（第２の開口部）１３が形成されている。収容容器１９は、筐体部１２の前側開口部１３を覆う位置に着脱可能に装着されるのが好ましい。
【００５３】
収容容器１９の底部には、幅方向の両端側に一対の脚部１９ｂが突設されている。また、収容容器１９には、筐体部１２に取り付けられたときに前壁部１２ｆの一部を構成する前面側に、手掛け凹部１９ａが凹設されている。そして、収容容器１９に収容された裁断片を除去するときには、手掛け凹部１９ａに手を掛けるなどして収容容器１９を筐体部１２から取り外す。
【００５４】
筐体部１２には、媒体Ｓを円筒状に巻き重ねたロール体Ｒを保持する媒体保持部１６が、前側開口部１３を通じて引き出し可能な状態で収容されるのが好ましい。すると、収容容器１９を筐体部１２から取り外すことによって、媒体保持部１６は前側開口部１３を通じて筐体部１２から引き出し可能な状態になる。
【００５５】
媒体保持部１６は、筐体部１２に収容された場合に前壁部１２ｆの一部を構成する前板部（板部）１７と、ロール体Ｒを支持するために、装着されるロール体Ｒを挟む位置に配置される一対の支持壁１８と、前板部１７との間に媒体Ｓの挿入口４３を形成する挿入口形成部４４と、を備えるとよい。また、媒体保持部１６の前板部１７には、筐体部１２に取り付けられた収容容器１９を支持する支持部２３と、媒体保持部１６を筐体部１２から引き出すときに手を掛けることのできる手掛け部２４と、報知部２５と、を設けるのが好ましい。報知部２５は、例えば報知灯とすることができる。
【００５６】
収容容器１９を筐体部１２に取り付けると、収容容器１９の脚部１９ｂが前板部１７の上部に凹設された支持部２３の上に置かれる。一方、収容容器１９を筐体部１２から取り外すと、挿入口４３、支持部２３、手掛け部２４及び報知部２５が露出する。
【００５７】
図８に示すように、媒体保持部１６は、媒体Ｓを記録部３１に向けて給送するための給送経路を形成する給送経路形成部材６６，６７，６８，６９と、給送経路に沿って媒体Ｓを給送する複数の給送ローラー対６０，６１，６２とを保持している。給送ローラー対６０は駆動ローラー６０ａ及び従動ローラー６０ｂからなり、給送ローラー対６１は駆動ローラー６１ａ及び従動ローラー６１ｂからなる。
【００５８】
給送ローラー対６０，６１，６２は、媒体保持部１６の幅方向に並んで対をなす支持壁１８に支持されて、両支持壁１８の内側に配置されている。給送経路形成部材６６は駆動ローラー６０ａ，６１ａの下方に固定されているとともに、給送経路形成部材６７は媒体Ｓの給送方向において給送経路形成部材６６の下流側に固定されている。
【００５９】
給送経路形成部材６６は、媒体Ｓの端部を検出する媒体検出部６５を保持している。媒体検出部６５は、給送経路において最も挿入口４３に近い位置に配置された給送ローラー対６０よりも給送方向の下流側に配置されている。
【００６０】
媒体検出部６５は、例えば発光ダイオードなどを有する発光部と、例えばフォトダイオードなどを有する受光部とを備える光学式のセンサーである。そして、媒体検出部６５は媒体Ｓの通過によって生じる受光状態の変化から、媒体Ｓの先端を検出する。
【００６１】
挿入口４３から挿入された媒体Ｓの先端を媒体検出部６５が検出すると、例えば報知部２５である報知灯が消灯状態から点灯状態に変化することによって、媒体Ｓが給送ローラー対６０によって給送可能な位置に配置されたことを報知する。これにより、報知部２５を見ながら媒体Ｓの挿入作業を行うことによって、媒体Ｓが自動搬送可能な位置まで適切に挿入されたことを容易に確認することが可能になる。
【００６２】
なお、挿入口４３から挿入された媒体Ｓの先端を媒体検出部６５が検出した後に、収容容器１９が筐体部１２に装着されたことを容器検出部４７が検出すると、給送ローラー対６０，６１，６２が記録を開始可能な位置まで媒体Ｓを給送するようにするとよい。
【００６３】
すなわち、収容容器１９は媒体保持部１６が筐体部１２に収容されないと前側開口部１３に取り付けることができないし、給送ローラー対６０，６１，６２は媒体保持部１６が筐体部１２に収容されないと媒体Ｓの給送を開始することができない。したがって、収容容器１９が筐体部１２に装着されたことを容器検出部４７が検出したときには、媒体保持部１６が筐体部１２に収容されたと判断して、媒体Ｓの給送を開始することが可能になる。
【００６４】
給送経路形成部材６６には、媒体検出部６５よりも給送方向の下流側に、クリーナー７１を着脱可能に取り付けてもよい。また、給送経路形成部材６８には、クリーナー７１と対をなすクリーナー７２を着脱可能に取り付けてもよい。すると、クリーナー７１，７２は給送経路を給送される媒体Ｓを軽く挟持するように媒体Ｓの両面側に接触することによって、媒体Ｓに付着した塵埃（媒体Ｓが用紙の場合には紙粉など）を除去する。
【００６５】
給送経路形成部材６８が回動軸６８ａを有して、回動軸６８ａを中心に回動可能な構成にしてもよい。また、給送経路形成部材６９が回動軸６９ａを有して、回動軸６９ａを中心に回動可能な構成にしてもよい。
【００６６】
すると、図９に示すように、媒体保持部１６を筐体部１２から引き出してロール体Ｒを媒体保持部１６から取り外した後に、回動軸６８ａを中心に給送経路形成部材６８を同図に二点鎖線で示すように回動させると、給送経路が露出する。
【００６７】
これにより、媒体Ｓが給送経路で詰まった場合などには、給送経路を露出させて詰まった媒体Ｓを取り除くなど、給送経路のメンテナンスを筐体部１２の外で行うことが可能になる。また、給送経路形成部材６８を回動させると、クリーナー７１，７２が露出するので、クリーナー７１，７２に付着した塵埃や紙粉などを除去したり、クリーナー７１，７２を交換したりするメンテナンスを筐体部１２の外で行うことが可能になる。
【００６８】
同様に、媒体保持部１６を筐体部１２から引き出してロール体Ｒを媒体保持部１６から取り外した後に、回動軸６９ａを中心に給送経路形成部材６９を図８に二点鎖線で示すように回動させると、給送経路が露出する。したがって、媒体Ｓが給送経路で詰まった場合などには、給送経路を露出させて詰まった媒体Ｓを取り除くなど、給送経路のメンテナンスを筐体部１２の外で行うことが可能になる。
【００６９】
図１０に示すように、筐体部１２内において、媒体保持部１６を収容する空間の奥側には、支持フレーム７６が固定されている。支持フレーム７６は、駆動ローラー６０ａ，６１ａを回転させるための駆動源６３と、駆動源６３の駆動力を駆動ローラー６０ａ，６１ａに伝達するための歯車７８を有する第１歯車列７７とを支持している。
【００７０】
媒体保持部１６は、歯車７８と噛合可能な歯車７９を有する第２歯車列７５を保持している。第２歯車列７５は、一方の支持壁１８の外面側に配置されている。そして、媒体保持部１６が筐体部１２に収容されると、歯車７８と歯車７９とが噛み合うことによって、駆動源６３の駆動力が駆動ローラー６０ａ，６１ａに伝達可能な状態になる。
【００７１】
一方、媒体保持部１６を筐体部１２から引き出すと、歯車７８と歯車７９との噛合が解除されるので、駆動ローラー６０ａ，６１ａは回転自在な状態になる。したがって、ロール体Ｒを交換するときなどには、媒体保持部１６を筐体部１２から引き出すことによって、媒体Ｓを挿入口４３から引っ張って給送経路から抜き出すことや、挿入口４３に媒体Ｓを挿入して搬送経路に媒体Ｓを送り込むことが容易になる。
【００７２】
また、媒体保持部１６を筐体部１２から引き出すと、支持壁１８の外面側に配置された第２歯車列７５が露出するので、第２歯車列７５の清掃などのメンテナンスを筐体部１２の外で行うことが可能になる。
【００７３】
次に、以上のように構成された記録装置１１の作用について説明する。
図１に示すように、記録装置１１の上壁部１２ｔ、側壁部１２ｇ，１２ｈ及び後部が同図に二点鎖線で示すように壁等によって囲まれて、上壁部１２ｔの上方にわずかな隙間しかない状態になったとき、記録装置１１には前方からしかアクセスできない。
【００７４】
このような状態になっても、本実施形態の記録装置１１では、図５に示すように開閉部２６を前方に回動させることによって、記録装置１１の前方から収容体３０及び回収体２９の交換や供給機構４２のメンテナンスを行うことが可能である。また、図７に示すように収容容器１９を前方から取り外すことによって、溜まった裁断片を捨てたり、媒体保持部１６を前方に引き出してロール体Ｒを交換したりすることが可能である。
【００７５】
さらに、媒体Ｓが給送経路内で詰まった場合には、媒体保持部１６を筐体部１２から引き出せば、図９に示すように給送経路形成部材６８，６９を回動させて給送経路を露出させることができるので、詰まった媒体Ｓの除去など、給送経路のメンテナンスを行うことが可能である。
【００７６】
ここで、媒体保持部１６は収容容器１９を取り外さないと筐体部１２から引き出すことができない。そして、本実施形態の収容容器１９は、筐体部１２から取り外すと自立しない薄型の形状になっているので、媒体保持部１６を引き出すために収容容器１９を取り外すと、裁断片がこぼれ出ないように収容容器１９に溜まった裁断片を捨てることになる。これにより、裁断片を除去する頻度を上げることができるので、収容容器１９を小型化することが可能になる。
【００７７】
一方、媒体Ｓが記録部３１で詰まった場合には、上壁部１２ｔの上方の隙間に手を入れて引手部２２に手を掛け、図２に示すように上側開閉体２１を前方にスライド移動させる。すると、キャリッジ３３の移動領域となる媒体Ｓの搬送経路が露出するので、詰まった媒体Ｓの除去など、搬送経路のメンテナンスを行うことが可能である。
【００７８】
また、インクが付着した媒体Ｓは、加熱装置４８によって乾燥されることによって反り返り、搬送経路を構成する部材に引っかかって詰まってしまうことがある。このような場合には、図４に示すように上側開閉体２１を前方にスライド移動させてダクト５１を構成する吸引部５６を取り外すことによって、搬送経路を露出させて媒体Ｓの詰まりを解消することが可能である。
【００７９】
さらに、上側開閉体２１を前方にスライド移動させて露出したキャリッジ３３の蓋部３３ａを取り外すと、記録装置１１の前方から液体噴射ヘッド３２を交換することが可能になる。また、上側開閉体２１を前方にスライド移動させて露出したダクト５１の蓋部材５８を取り外すと、記録装置１１の前方からダクト５１の清掃等のメンテナンスを行うことが可能になる。
【００８０】
以上説明したように、本実施形態の記録装置１１によれば、記録装置１１の前方にあるスペースを利用して、収容体３０、回収体２９及びロール体Ｒの交換や供給機構４２及び媒体保持部１６のメンテナンスを行うことが可能である。また、上側開閉体２１を前方にスライド移動させて上側開口部２０を露出させることによって、記録装置１１の上方の隙間に前方から手を伸ばして、筐体部１２内のメンテナンスを行うことが可能である。
【００８１】
上記実施形態によれば、以下のような効果を得ることができる。
（１）閉位置に配置された上側開閉体２１を閉位置からスライド移動させると、上壁部１２ｔに設けられた上側開口部２０が露出するので、この上側開口部２０を通じて筐体部１２内のメンテナンスを行うことができる。そのため、筐体部１２が壁等によって多面的に囲まれていて、筐体部１２に一方向からしかアクセスすることができない場合にも、上側開閉体２１をその一方向に沿ってスライド移動させることによって、上側開口部２０を露出させることができる。したがって、壁等によって多面的に囲まれている場合でも、記録装置１１内部のメンテナンスを行うことができる。
【００８２】
（２）上側開閉体２１を前方にスライド移動させることによって、露出した上側開口部２０を通じて液体噴射ヘッド３２の着脱を行うことができる。したがって、上壁部１２ｔに設けられた上側開口部２０を通じて記録部３１のメンテナンスを行うことができる。
【００８３】
（３）上側開閉体２１をスライド移動させることによって、露出した上側開口部２０を通じてダクト５１を構成する吸引部５６の着脱を行うことができる。したがって、記録装置１１の上壁部１２ｔに設けられた上側開口部２０を通じてダクト５１のメンテナンスを行うことができる。
【００８４】
（４）上側開口部２０を通じてダクト５１を構成する吸引部５６を取り外すことによって、媒体Ｓの搬送経路を露出させることができる。したがって、媒体Ｓが搬送経路で詰まった場合には、吸引部５６を取り外して詰まった媒体Ｓを除去するなど、上側開口部２０を通じて搬送経路のメンテナンスを行うことができる。
【００８５】
（５）上側開閉体２１は閉位置に配置された場合に上壁部１２ｔの一部を構成するので、上側開閉体２１を収容するための空間を筐体部１２内に確保するために記録装置１１の内部構成を大きく変更することなく、上壁部１２ｔの一部が開口する構成を実現することができる。
【００８６】
（６）上側開閉体２１をスライド移動させるための領域を筐体部１２の側壁部である前壁部１２ｆに面する位置に確保しておけば、この領域を作業領域として、前壁部１２ｆに設けられた前側開口部１３を通じて筐体部１２内のメンテナンスを行うことができる。すなわち、記録装置１１が多面的に壁等で囲まれた閉鎖的な狭い空間に配置された場合であっても、筐体部１２の前壁部１２ｆが面する位置に作業領域が確保されていれば、この作業領域を通じて記録装置１１のメンテナンスを行うことができる。
【００８７】
（７）収容容器１９は、筐体部１２の前側開口部１３を覆う位置に着脱可能であるので、収容容器１９内に裁断片が溜まった場合には、記録装置１１から収容容器１９を取り外して、溜まった裁断片を除去するメンテナンスを行うことができる。
【００８８】
（８）収容容器１９を筐体部１２から取り外すことによって、前側開口部１３を通じて媒体保持部１６を筐体部１２から引き出すことができる。そして、媒体保持部１６を筐体部１２から引き出すことによって、筐体部１２の外でロール体Ｒの装填や交換などのメンテナンスを行うことができるので、作業性がよい。
【００８９】
（９）媒体保持部１６を筐体部１２から引き出すことによって、媒体保持部１６に設けられた給送経路のメンテナンスを筐体部１２の外で行うことができる。これにより、筐体部１２内に収容される媒体保持部１６のメンテナンスを容易に行うことができる。
【００９０】
（１０）媒体保持部１６の前板部１７には収容容器１９を支持する支持部２３が設けられているので、筐体部１２の前面側に、前板部１７と収容容器１９とを重ねた状態で配置することができる。
【００９１】
（１１）媒体保持部１６の前板部１７には手掛け部２４が設けられているので、収容容器１９を取り外したときに、記録装置１１の前方から前板部１７に手を掛けて、媒体保持部１６を筐体部１２から引き出すことができる。
【００９２】
（１２）挿入口形成部４４は前板部１７との間に媒体Ｓの挿入口４３を形成するので、記録装置１１の一側面側から媒体Ｓを挿入口４３に挿入する作業を行うことができる。
（１３）媒体保持部１６の前板部１７には報知部２５が設けられているので、報知部２５を視認しつつ、挿入口４３に媒体Ｓを挿入する作業を行うことができる。
【００９３】
（１４）一方の収容体装着部２７及び回収体装着部２８は筐体部１２において第１開閉部２６Ｒの奥側に配置されているので、記録装置１１の一側面側から第１開閉部２６Ｒを開くことによって、収容体３０の着脱及び回収体２９の着脱を行うことができる。また、他方の収容体装着部２７及び供給機構４２は筐体部１２において第２開閉部２６Ｌの奥側に配置されているので、記録装置１１の一側面側から第２開閉部２６Ｌを開くことによって、収容体３０の着脱を行うことができるとともに、供給機構４２のメンテナンスを行うことができる。
【００９４】
なお、上記実施形態は以下のように変更してもよい。
・上記実施形態においては、第１の開口部を上側開口部２０、第２の開口部を前側開口部１３として説明したが、鉛直方向に沿う上下方向、幅方向となる左右方向、及び前後方向における位置を変更してもよい。すなわち、筐体部１２の上壁部１２ｔ以外の壁部に第１の開口部を設けてもよいし、第１の開口部を覆う閉位置から、前方以外の方向にスライド移動する開閉体を設けてもよい。また、前壁部１２ｆ以外の壁部に第２の開口部を設けてもよい。さらに、スライド移動する開閉体によって塞ぐことのできる開口部が設けられる壁部が複数あってもよい。例えば、上壁部１２ｔに加えて、側壁部１２ｇ，１２ｈなどにも開口部を設け、この開口部を前方に向けてスライド移動する開閉体で塞ぐようにすれば、筐体部１２の前方に確保された作業領域から、筐体部１２の上部や側方部などの複数箇所にアクセスして、筐体部１２内のメンテナンスを行うことができる。
【００９５】
・液体噴射ヘッド３２を保持するキャリッジ３３に収容体３０を着脱可能に装着する構成を採用してもよい。この構成によれば、上側開口部２０を通じて収容体３０の着脱を行うことができる。この場合には、供給チューブ３４を備えなくてもよいし、第２開閉部２６Ｌの奧側に収容体装着部２７及び供給機構４２を備えなくてもよいので、第２開閉部２６Ｌを備えなくてもよい。
【００９６】
・上側開口部２０を通じて回収体２９を着脱する構成を採用してもよい。この構成によれば、第１開閉部２６Ｒを備えなくてもよい。
・上側開口部２０を通じてダクト５１の全体が着脱される構成にしてもよい。
【００９７】
・記録装置１１が予め所定の長さに裁断された単票に記録を行う構成を採用してもよい。この場合には、複数の単票を収容可能なカセットを前壁部１２ｆに設けた前側開口部を通じて引き出し可能な構成を採用することができる。そして、この構成を採用した場合には、裁断機構４９及び収容容器１９を備えなくてもよい。
【００９８】
また、上側開口部２０を通じて収容容器１９を着脱する構成にしてもよい。
このように、前壁部１２ｆに収容容器１９を着脱する必要がない場合には、下端側に設けられた回動軸を中心に回動する開閉体を前壁部１２ｆに取り付けて、同開閉体を前方に回動させると、同開閉体の裏面側に設けられた媒体保持部が露出する構成を採用することができる。
【００９９】
・開閉部２６の上端側に回動軸２６ａを設けて、開閉部２６の下端側が前方に回動する構成を採用することもできるし、開閉部２６の側端に回動軸２６ａを設けて、開閉部２６を横開きにする構成を採用することもできる。
【０１００】
・上側開閉体２１が、媒体Ｓの搬送経路を形成する搬送経路形成部材やダクト５１の蓋部材５８などの部材を一体的に保持する構成にしてもよい。この場合には、上側開閉体２１を上壁部１２ｔから取り外すのと同時に、媒体Ｓの搬送経路を露出させたり、ダクト５１の内部を露出させたりすることができる。
【０１０１】
・排気機構５０は、インクの噴射に伴って生じるインクミストを排出するものであってもよいし、筐体部１２内の装置を冷却するために気体を排気するものであってもよい。
なお、排気機構５０がインクミストやインクの溶媒成分を排気する場合、記録装置１１は、インクなどの流体を噴射することで記録を行うインクジェット式のプリンターとすることができる。また、この場合には、記録部３１がキャリッジ３３を備えず、媒体Ｓの幅全体と対応した長尺状の固定された記録ヘッドを備える、いわゆるフルラインタイプの記録装置に変更してもよい。この場合の記録ヘッドは、ノズルが形成された複数の単位ヘッド部を並列配置することによって記録範囲が媒体Ｓの幅全体に亘るようにしてもよいし、単一の長尺ヘッドに媒体Ｓの幅全体に亘るように多数のノズルを配置することによって、記録範囲が媒体Ｓの幅全体に亘るようにしてもよい。
【０１０２】
なお、記録に用いられる記録材は、インク以外の流体（液体や、機能材料の粒子が液体に分散又は混合されてなる液状体、ゲルのような流状体、流体として流して噴射できる固体を含む）ものであってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う構成にしてもよい。
【０１０３】
すなわち、流体を噴射することで記録を行う記録装置は、ゲル（例えば物理ゲル）などの流状体を噴射する流状体噴射装置、トナーなどの粉体（粉粒体）を例とする固体を噴射する粉粒体噴射装置（例えばトナージェット式記録装置）であってもよい。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体、粉粒体（粒体、粉体を含む）などが含まれる。
【０１０４】
一方、排気機構５０が冷却などを目的として排気を行う場合には、この排気機構５０を備える記録装置は、流体を噴射することで記録を行うインクジェット式のプリンターに限らない。例えばレーザープリンター、ＬＥＤプリンター、熱転写プリンター（昇華型プリンターを含む）などのノンインパクトプリンターでもよいし、ドットインパクトプリンターなどのインパクトプリンターでもよい。
【０１０５】
また、記録装置は印刷機能のみを備えるプリンターに限らず、例えば画像読取機能を備える複合機であってもよいし、ファクシミリ、複写装置、またはこれら装置を備える複合機であってもよい。
【０１０６】
・媒体Ｓは用紙に限らず、プラスチックフィルムや薄い板材などでもよいし、捺染装置などに用いられる布帛であってもよい。
【符号の説明】
【０１０７】
１１…記録装置、１２…筐体部、１２ｆ…側壁部としての前壁部、１２ｔ…壁部としての上壁部、１３…第２の開口部としての前側開口部、１６…媒体保持部、１７…板部としての前板部、１９…収容容器、２０…第１の開口部としての上側開口部、２１…開閉体としての上側開閉体、２３…支持部、２４…手掛け部、２５…報知部、２６Ｌ…第２開閉部、２６Ｒ…第１開閉部、２７…収容体装着部、２８…回収体装着部、２９…回収体、３０…収容体、３１…記録部、３２…液体噴射ヘッド、４１…搬送機構、４２…供給機構、４３…挿入口、４４…挿入口形成部、４９…裁断機構、５０…排気機構、５１…ダクト、６０…給送ローラー対、６６，６７，６８，６９…給送経路形成部材、Ｒ…ロール体、Ｓ…媒体。
【図１】
2020040412.tif 000003
【図２】
2020040412.tif 000004
【図３】
2020040412.tif 000005
【図４】
2020040412.tif 000006
【図５】
2020040412.tif 000007
【図６】
2020040412.tif 000008
【図７】
2020040412.tif 000009
【図８】
2020040412.tif 000010
【図９】
2020040412.tif 000011
【図１０】
2020040412.tif 000012
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
媒体を搬送する搬送機構と、
搬送される前記媒体を支持する媒体支持部と、
前記媒体の幅方向に移動可能に設けられ、前記媒体支持部に支持される前記媒体に対して液体を噴射して記録を行う液体噴射ヘッドと、
前記媒体支持部および前記液体噴射ヘッドの上方に開口する開口部を有する前壁部と、
前記開口部を覆う閉状態と該開口部を介して前記媒体支持部にアクセス可能な開放状態とを取り得る開閉体と、
前記液体噴射ヘッドにより記録された前記媒体が排出される排出部が開口する前壁部と、
前記液体噴射ヘッドにより記録された前記媒体を前記排出部から排出される前に加熱可能な加熱装置と、
廃液となった前記液体を収集する廃液収集体を前記前壁部側から着脱可能に設けられる廃液収集体装着部と、
前記液体を収容する液体収容体を前記前壁部側から着脱可能に設けられる液体収容体装着部と、
を備え、
前記廃液収集体装着部に装着された前記廃液収集体は、前記加熱装置の下方であって、前記第１液体収容体装着部に装着された前記液体収容体の鉛直上方に位置することを特徴とする記録装置。
【請求項２】
前記液体収容体装着部および前記廃液収集体装着部の該前壁部側を覆う閉位置と前記液体収容体および前記廃液収集体を着脱可能な開位置とを取り得る開閉部を備えることを特徴とする請求項１に記載の記録装置。
【請求項３】
前記閉位置にある前記開閉部は、前記媒体の幅方向において前記排出部と隣り合う位置に位置することを特徴とする請求項２に記載の記録装置。
【請求項４】
前記排出部は、前記開閉部より上方となる位置に開口していることを特徴とする請求項２または請求項３に記載の記録装置。
【請求項５】
前記媒体支持部に供給される前記媒体を前記前壁部側からアクセス可能に保持する媒体保持部と、
前記排出部の開口位置より下方であって、前記媒体支持部に保持される前記媒体の前記前壁部側を覆う取り付け位置に着脱可能に設けられ、記録された前記媒体から切断される裁断片を収容する収容部と、
を備え、
前記取付け位置にある前記収容部は、前記媒体の幅方向において前記閉位置にある前記開閉部と隣り合う位置に位置し、
前記排出部は、前記取付け位置にある前記収容部より上方となる位置に開口していることを特徴とする請求項２から請求項４のいずれか一項に記載の記録装置。
【請求項６】
前記開口部の鉛直下方となる領域外となる前記液体噴射ヘッドの移動領域端部に、該液体噴射ヘッドから前記液体を吸引可能な吸引機構を備えることを特徴とする請求項１から請求項５のいずれか一項に記載の記録装置。
【請求項７】
前記吸引機構は、前記幅方向における一端側に設けられ、前記廃液収集体装着部に装着された前記廃液収集体と廃液流路で接続されることを特徴とする請求項６に記載の記録装置。
【請求項８】
前記液体噴射ヘッドを保持して前記幅方向に移動するキャリッジと、
前記キャリッジの上部に着脱可能に設けられた蓋部と、
を備え、
前記開口部は、前記蓋部にアクセス可能に該蓋部の上方に開口していることを特徴とする請求項１から請求項７のいずれか一項に記載の記録装置。
【手続補正２】
【補正対象書類名】明細書
【補正対象項目名】０００８
【補正方法】変更
【補正の内容】
【０００８】
以下、上記課題を解決するための手段及びその作用効果について記載する。
上記課題を解決する記録装置は、媒体を搬送する搬送機構と、搬送される前記媒体を支持する媒体支持部と、前記媒体の幅方向に移動可能に設けられ、前記媒体支持部に支持される前記媒体に対して液体を噴射して記録を行う液体噴射ヘッドと、  前記媒体支持部および前記液体噴射ヘッドの上方に開口する開口部を有する前壁部と、前記開口部を覆う閉状態と該開口部を介して前記媒体支持部にアクセス可能な開放状態とを取り得る開閉体と、前記液体噴射ヘッドにより記録された前記媒体が排出される排出部が開口する前壁部と、前記液体噴射ヘッドにより記録された前記媒体を前記排出部から排出される前に加熱可能な加熱装置と、廃液となった前記液体を収集する廃液収集体を前記前壁部側から着脱可能に設けられる廃液収集体装着部と、前記液体を収容する液体収容体を前記前壁部側から着脱可能に設けられる液体収容体装着部と、を備え、前記廃液収集体装着部に装着された前記廃液収集体は、前記加熱装置の下方であって、前記第１液体収容体装着部に装着された前記液体収容体の鉛直上方に位置する。